(57)【要約】【課題】空気調和機にて使用されるリモコン装置において、使用者に使い勝手の良いリモコンの操作スイッチの機能に変更可能であり、変更内容をリモコン側に表示可能である空気調和システムを提供することを目的としている。【解決手段】使用者が入力操作する操作スイッチ１と、設定内容を表示する表示手段としてのＬＣＤ３を備えたリモコン装置４と、前記リモコン装置４から操作スイッチ１の機能変更の処理を行う本体制御手段としての本体マイコン５と、設定内容を記憶できる記憶手段としてのＥＥＰＲＯＭ６を備えた空気調和機本体７と、前記リモコン装置４と前記空気調和機本体７間の通信を双方向に可能とする通信手段としての有線のリモコンケーブル８を構成し、リモコン装置４の操作スイッチ１の持つ機能を変更後、ＥＥＰＲＯＭ６で記憶した変更内容をＬＣＤ３に表示できる空気調和システム９を得られる。【選択図】図１
2006343014.tif 000002
【特許請求の範囲】
【請求項１】
使用者が運転指示および設定変更の入力操作する操作スイッチと、前記操作スイッチからの出力に応じて操作処理を行うリモコン制御手段と、前記リモコン制御手段からの出力を表示する表示手段を備えたリモコン装置と、前記リモコン装置から操作処理を受けて処理を行う本体制御手段と、前記本体制御手段からの設定内容を記憶する記憶手段を備えた空気調和機本体と、前記リモコン装置と前記空気調和機本体間の通信を双方向に可能とする通信手段を備えた空気調和システムにおいて、前記操作スイッチの設定の機能変更の出力を受けて前記記憶手段により記憶された設定内容を変更して記憶し、前記表示手段に変更した設定内容を表示する構成とした空気調和システム。
【請求項２】
使用頻度に応じて操作スイッチが持つ機能の変更を使用者に提案することができる報知手段を備えた請求項１記載の空気調和システム。
【請求項３】
報知手段により機能の変更を使用者に提案した後、使用者が操作スイッチの持つ機能の変更の可否を操作スイッチで入力することができる構成とした請求項２記載の空気調和システム。
【請求項４】
操作スイッチを長押しすることで、装置スイッチの機能を変更可能な状態にする構成とした請求項１記載の空気調和システム。
【請求項５】
複数の操作スイッチを複数同時押しすることで、装置スイッチの機能を変更可能な状態にする構成とした請求項１記載の空気調和システム。
【請求項６】
リモコン装置に設定スイッチを備え、前記設定スイッチを入力することで操作スイッチの機能を変更可能な状態にする構成とした請求項１記載の空気調和システム。
【請求項７】
操作スイッチの機能を変更後、表示手段に変更完了の表示をする構成とした請求項１記載の空気調和システム。
【請求項８】
操作スイッチの機能を変更後、音声により変更完了をお知らせする構成とした請求項１記載の空気調和システム。
【請求項９】
操作スイッチの機能を変更後、操作スイッチの機能を操作スイッチ近傍に備えた発光手段を用いた表示により、機能配置を表示する構成とした請求項１記載の空気調和システム。
【請求項１０】
操作スイッチの機能を変更後、リモコン装置に装着可能である操作スイッチの機能配置の示された表示シートを、変更後の操作スイッチ機能が示された表示シートに変更可能な構成とした請求項１記載の空気調和システム。
【請求項１１】
操作スイッチの使用頻度により、制御装置が使用頻度を認識し、使用頻度に応じ操作スイッチが持つ機能の変更を使用者に提案することができる報知手段を備えた請求項２記載の空気調和システム。
【請求項１２】
リモコン装置に温度検知手段を備え、前記温度検知手段により得た温度の情報から季節を決定し、季節毎に使用頻度に応じた操作スイッチが持つ機能の変更を使用者に提案することができる報知手段を備えた請求項２記載の空気調和システム。
【請求項１３】
リモコン装置に季節を認識する設定スイッチ備え、季節毎に使用頻度に応じた操作スイッチが持つ機能の変更を使用者に提案することができる報知手段を備えた請求項２記載の空気調和システム。
【請求項１４】
使用者が希望する運転の組み合わせを操作スイッチの機能を付与し、前記操作スイッチを入力することで連続して運転動作をする設定ができる構成とした請求項１記載の空気調和システム。
【発明の詳細な説明】
【技術分野】
【０００１】
本発明は、空気調和機本体および、前記空気調和機に使用されるリモコン装置に関する。
【背景技術】
【０００２】
従来、この種の遠隔操作をする空気調和器は、操作スイッチから信号を送ることにより、運転モードを変更可能であった。
【０００３】
しかしながら、最近は機能が多様化する一方で、操作スイッチの個数も多くなり、使用者としては使いづらさが増していた。
【０００４】
そこで、使用者の意図によりリモコンの複数の操作スイッチの持つ機能を変更可能であり、リモコンに備えた記憶装置によって変更内容を記憶可能なリモコン装置が知られていた（例えば特許文献１、２参照）。
【０００５】
以下、そのリモコン装置について図１２を参照しながら説明する。
【０００６】
運転指示手段としてのマイクロコンピュータ１０１は不揮発性記憶素子１０２のスイッチ処理内容（コード）は読み出す読み取り手段１０３と、読み取ったコードを記憶する記憶手段１０４（マイコン内部のＲＡＭ）と、スイッチマトリックス１０５のうちどの配列のスイッチがオンされたかを読み取るスイッチ入力読み取り手段１０６と、記憶手段１０４上のコードとスイッチ入力読み取り手段１０６からのスイッチオン情報によりスイッチ処理の内容を確認し、実行する処理手段１０７からなる。
【０００７】
また、処理手段１０７で実行された結果は表示手段１０８によって表示される。
【０００８】
上記の構成によれば、所定箇所に配置したスイッチ処理内容を自由に選択することが可能となるため、リモコンの種類によって自由にスイッチの配列や所要個数の設定が可能になっていた。
【０００９】
また、記憶装置を本体側に備え、使用者の意図によりリモコンの複数の操作スイッチの持つ機能を変更後、変更内容を本体側の記憶装置で記憶可能なリモコン装置が知られていた（例えば特許文献３参照）。
【００１０】
以下、そのリモコン装置について図１３を参照しながら説明する。
【００１１】
被制御機器１０９としてのテレビジョン受像機は、アンテナ１１０から入力したテレビジョン信号をチューナ１１１で選局及び周波数変換し、ビデオ処理部１１２に供給する。ビデオ処理部１１２では、チューナ１１１の出力を映像検波，Ｙ／Ｃ分離，輝度信号処理，色信号処理などの信号処理を行ってＲＧＢ信号を得、さらに重畳部１１３でオンスクリーン信号を重畳して、表示部１１４に供給するようになっている。また、ビデオ処理部１１３は、ＶＴＲ等の外部機器からのビデオ信号を外部入力するビデオ入力端子１１５を備えている。表示部１１４は、カラー陰極線管（ＣＲＴ）で構成される。なお、同期信号処理系及び偏向回路は、省略してある。
【００１２】
一方、制御部１１６は、中央演算処理装置としてのＣＰＵと、各種制御プログラムを格納したプログラムメモリであるＲＯＭと、作業用のデータメモリであるＲＡＭとを備えている。
【００１３】
上記構成によれば、リモコン送信機１１７に配置された各種機能（例えば音量，チャンネル）の操作ボタンを操作すると、各操作ボタンに対応したコードの制御信号が送信され、被制御機器１０９であるテレビジョン受像機の制御部１１６ではリモコン受信部１１８で受信した各制御信号に応じて各種機能（例えば音量，チャンネル）を実行することになる。
【００１４】
この場合、被制御機器１０９における制御部１１６内のＣＰＵは、リモコン送信機１１７からの制御信号に対応してＲＯＭ内の制御プログラムを実行して各種機能（例えば音量，チャンネル）を制御していた。
【特許文献１】特開２００３−８３５９７号公報
【特許文献２】特開平５−３２８４４１号公報
【特許文献３】特開２０００−１９７１６２号公報
【発明の開示】
【発明が解決しようとする課題】
【００１５】
このような従来のリモコン装置では、記憶手段をリモコン装置側に備えることにより、リモコン装置の小型化に支障がでるという課題があった。
【００１６】
また、記憶手段を本体側に備えることで、本体側で記憶した内容をリモコン側に表示することができないという課題があった。
【００１７】
また、使用者によって操作スイッチの使用頻度が異なり、使用頻度が高い操作スイッチが使用者にとって使い勝手の悪い配置となることがあるという課題があった。
【００１８】
また、複数の操作スイッチの機能を変更する設定が容易に行われると、使用者が複数の操作スイッチの機能を混乱してしまうという課題があった。
【００１９】
また、複数の操作スイッチの機能を変更する設定を本体側に記憶させる際に一時的な停電などが起きた場合、変更内容が記憶手段に記憶が完了したかどうかが分からず、複数の操作スイッチの機能を混乱してしまうという課題があった。
【００２０】
また、複数の操作スイッチの機能を繰り返し変更した際に、操作スイッチの機能が分からなくなり、混乱してしまうという課題があった。
【００２１】
また、使用者や季節環境により操作スイッチの使用頻度が異なり、使用頻度が高い操作スイッチが使用者にとって使い勝手の悪い配置となることがあるという課題があった。
【００２２】
また、機能を変更する度に使用者が操作スイッチを入力しなくてはならないという課題があった。
【００２３】
本発明は、上記従来の課題を解決するもので、使用者にとって使い勝手の良いリモコンの操作スイッチの機能に変更可能であり、変更内容をリモコン側に表示可能である空気調和システムを提供することを目的としている。
【課題を解決するための手段】
【００２４】
本発明の空気調和システムは、上記目的を達成するために、使用者が運転指示および設定変更の入力操作する操作スイッチと、前記操作スイッチからの出力に応じて操作処理を行うリモコン制御手段と、前記リモコン制御手段からの出力を表示する表示手段を備えたリモコン装置と、前記リモコン装置から操作処理を受けて処理を行う本体制御手段と、前記本体制御手段からの設定内容を記憶できる記憶手段を備えた空気調和機本体と、前記リモコン装置と前記空気調和機本体間の通信を双方向に可能とする通信手段を備えた空気調和システムにおいて、前記操作スイッチの設定の機能変更の出力を受けて前記記憶手段により記憶された設定内容を変更して記憶し、前記表示手段に変更した設定内容を表示する構成としたものである。
【００２５】
この手段により、リモコン装置の操作スイッチの持つ機能を変更後、空気調和機本体の記憶手段で記憶した変更内容をリモコン装置の表示手段に表示でき、使用者がリモコン装置のみで設定から変更完了の確認まですることができ、さらに記憶装置をリモコン装置に備えないことでリモコン装置の小型化が図ることができる空気調和システムが得られる。
【００２６】
また、他の手段は、使用頻度に応じて操作スイッチが持つ機能の変更を使用者に提案することができる報知手段を備えたものである。
【００２７】
この手段により、使用者が使用頻度の高い操作スイッチを好みの機能に変更でき、使用者にとって操作性の良い空気調和システムが得られる。
【００２８】
また、他の手段は、報知手段により機能の変更を使用者に提案した後、使用者が操作スイッチの持つ機能の変更の可否を操作スイッチで入力することができる構成としたものである。
【００２９】
この手段により、報知手段で提案した操作スイッチの持つ機能の変更が容易に可能である空気調和システムが得られる。
【００３０】
また、他の手段は、操作スイッチを長押しすることで、装置スイッチの機能を変更可能な状態にする構成としたものである。
【００３１】
この手段により、操作スイッチが持つ機能を通常の動作以外の操作によって変更することで、誤って操作スイッチの機能を変更することを防ぐことができる空気調和システムが得られる。
【００３２】
また、他の手段は、複数の操作スイッチを複数同時押しすることで、装置スイッチの機能を変更可能な状態にする構成としたものである。
【００３３】
この手段により、複数の操作スイッチが持つ機能を通常の動作以外の操作によって変更することで、誤って操作スイッチの機能を変更することを防ぐことができる空気調和システムが得られる。
【００３４】
また、他の手段は、リモコン装置に設定スイッチを備え、前記設定スイッチを入力することで操作スイッチの機能を変更可能な状態にする構成としたものである。
【００３５】
この手段により、操作スイッチが持つ機能を通常の動作以外の操作によって変更することで、誤って操作スイッチの機能を変更することを防ぐことができる空気調和システムが得られる。
【００３６】
また、他の手段は、操作スイッチの機能を変更後、表示手段に変更完了の表示をする構成としたものである。
【００３７】
この手段により、操作スイッチの機能を変更後、使用者に変更完了を知らせて、瞬時停電や送信ミスによる変更の失敗が発生した場合、上記情報を使用者に知らせることができる空気調和システムが得られる。
【００３８】
また、他の手段は、操作スイッチの機能を変更後、音声により変更完了をお知らせする構成としたものである。
【００３９】
この手段により、操作スイッチの配置を変更後、使用者に変更完了を知らせて、瞬時停電や送信ミスによる変更の失敗が発生した場合、上記情報を使用者に知らせることができる空気調和システムが得られる。
【００４０】
また、他の手段は、操作スイッチの機能を変更後、操作スイッチの機能を操作スイッチ近傍に備えた発光手段を用いた表示により、機能配置を表示する構成としたものである。
【００４１】
この手段により、操作スイッチの機能を変更後に使用者に変更後の機能を明示でき、操作スイッチの機能配置の混乱を防ぐことができる空気調和システムが得られる。
【００４２】
また、他の手段は、操作スイッチの機能を変更後、リモコン装置に装着可能である操作スイッチの機能配置の示された表示シートを、変更後の操作スイッチ機能が示された表示シートに変更可能な構成としたものである。
【００４３】
この手段により、操作スイッチの機能を変更後に使用者に変更後の機能を明示でき、操作スイッチの機能配置の混乱を防ぐことができる空気調和システムが得られる。
【００４４】
また、他の手段は、操作スイッチの使用頻度により、制御装置が使用頻度を認識し、使用頻度に応じ操作スイッチが持つ機能の変更を使用者に提案することができる報知手段を備えたものである。
【００４５】
この手段により、使用者が使用頻度の高い操作スイッチを好みの位置に変更でき、使用者にとって操作性の良い空気調和システムが得られる。
【００４６】
また、他の手段は、リモコン装置に温度検知手段を備え、前記温度検知手段により得た温度の情報から季節を決定し、季節毎に使用頻度に応じた操作スイッチが持つ機能の変更を使用者に提案することができる報知手段を備えたものである。
【００４７】
この手段により、使用者が使用頻度の高い操作スイッチを好みの機能に変更でき、使用者にとって操作性の良い空気調和システムが得られる。
【００４８】
また、他の手段は、リモコン装置に季節を認識する設定スイッチ備え、季節毎に使用頻度に応じた操作スイッチが持つ機能の変更を使用者に提案することができる報知手段を備えたものである。
【００４９】
この手段により、使用者が使用頻度の高い操作スイッチを好みの機能に変更でき、使用者にとって操作性の良い空気調和システムが得られる。
【００５０】
また、他の手段は、使用者が希望する運転の組み合わせを操作スイッチの機能を付与し、前記操作スイッチを入力することで連続して運転動作をする設定ができる構成としたものである。
【００５１】
この手段により、頻度の高い運転の組み合わせを、運転の機能変更毎に操作スイッチの変更を行うことなく使用できる空気調和システムが得られる。
【発明の効果】
【００５２】
本発明によれば、リモコン装置の操作スイッチの持つ機能を変更後、空気調和機本体の記憶手段で記憶した変更内容をリモコン装置の表示手段に表示でき、使用者がリモコン装置のみで設定から変更完了の確認まですることができ、さらに記憶装置をリモコン装置に備えないことでリモコン装置の小型化が図ることができる空気調和システムが得られる。
【００５３】
また、使用者が使用頻度の高い操作スイッチを使用者にとって使い易く好みの機能に変更でき、操作性の良い空気調和システムが得られる。
【００５４】
また、報知手段で提案した操作スイッチの持つ機能の変更が容易に可能である空気調和システムが得られる。
【００５５】
また、操作スイッチが持つ機能を通常の動作以外の操作によって変更することで、誤って操作スイッチの機能を変更することを防ぐことができる空気調和システムが得られる。
【００５６】
また、操作スイッチの機能を変更後、使用者に変更完了を知らせて、瞬時停電や送信ミスによる変更の失敗が発生した場合、上記情報を使用者に知らせることができる空気調和システムが得られる。
【００５７】
また、操作スイッチの機能を変更後に使用者に変更後の機能を明示でき、操作スイッチの機能配置の混乱を防ぐことができる空気調和システムが得られる。
【００５８】
また、使用者が使用頻度の高い操作スイッチを好みの機能に変更でき、使用者にとって操作性の良い空気調和システムが得られる。
【００５９】
また、頻度の高い運転の組み合わせを、運転の機能変更毎に操作スイッチの変更を行うことなく使用できる空気調和システムが得られる。
【発明を実施するための最良の形態】
【００６０】
本発明の請求項１の発明は、使用者が入力操作する操作スイッチと、前記操作スイッチからの出力に応じて処理を行うリモコン制御手段と、前記リモコン制御手段からの出力を表示する表示手段を備えたリモコン装置と、前記リモコン装置から操作スイッチの機能変更の設定信号を受けて処理を行う本体制御手段と、前記本体制御手段からの設定内容を記憶できる記憶手段を備えた空気調和機本体と、前記リモコン装置と前記空気調和機本体間の通信を双方向に可能とする通信手段を備え，前記操作スイッチが持つ機能変更と前記表示手段により変更内容の表示を可能とする構成としたものであり、リモコン装置の操作スイッチの持つ機能を変更後、空気調和機本体の記憶手段で記憶した変更内容をリモコン装置の表示手段に表示でき、使用者がリモコン装置のみで設定から変更完了の確認まですることができ、さらに記憶装置をリモコン装置に備えないことでリモコン装置の小型化が図ることができるという作用を有する。
【００６１】
操作スイッチの持つ機能とは、空気調和機本体の基本動作、運転条件の指示内容、リモコン装置の設定変更内容等であり、基本動作の指示内容は具体的には、暖房運転、換気運転等の空気調和機の運転内容や、時間設定等などの基本動作、運転条件を指し、リモコン装置の設定変更内容は具体的には、操作スイッチの配置変更や操作スイッチを入力することでリモコン制御手段に出力される基本動作、運転条件の出力の変更設定をする設定操作内容を指す。
【００６２】
また、使用頻度に応じて操作スイッチが持つ機能の変更を使用者に提案することができる報知手段を備えたものであり、使用者が使用頻度の高い操作スイッチを好みの位置に変更でき、使用者にとって操作性が良いという作用を有する。
【００６３】
また、報知手段により機能の変更を使用者に提案した後、使用者が操作スイッチの持つ機能の変更の可否を操作スイッチで入力することができ、報知手段で提案した操作スイッチの持つ機能の変更が容易に可能であるという作用を有する。
【００６４】
また、操作スイッチを長押しすることで、装置スイッチの機能を変更可能なモードにし、操作スイッチが持つ機能を通常の動作以外の操作によって変更することで、誤って操作スイッチの機能を変更することを防ぐことができる作用を有する。
【００６５】
また、複数の操作スイッチを複数同時押しすることで、装置スイッチの機能を変更可能なモードにし、複数の操作スイッチが持つ機能を通常の動作以外の操作によって変更することで、誤って操作スイッチの機能を変更することを防ぐことができる作用を有する。
【００６６】
また、リモコン装置に設定スイッチを備え、前記設定スイッチを入力することで操作スイッチの機能を変更可能なモードにし、操作スイッチが持つ機能を通常の動作以外の操作によって変更することで、誤って操作スイッチの機能を変更する作用を有する。
【００６７】
また、操作スイッチの機能を変更後、表示手段に変更完了の表示をし、操作スイッチの機能を変更後、使用者に変更完了を知らせて、瞬時停電や送信ミスによる変更の失敗が発生した場合、上記情報を使用者に知らせる作用を有する。
【００６８】
また、操作スイッチの機能を変更後、音声により変更完了をお知らせする構成としたものであり、操作スイッチの配置を変更後、使用者に変更完了を知らせて、瞬時停電や送信ミスによる変更の失敗が発生した場合、上記情報を使用者に知らせる作用を有する。
【００６９】
また、操作スイッチの機能を変更後、操作スイッチの機能を操作スイッチ近傍に備えた発光手段を用いた表示により、機能配置を表示する構成としたものであり、操作スイッチの機能を変更後に使用者に変更後の機能を明示でき、操作スイッチの機能配置の混乱を防ぐことができる作用を有する。
【００７０】
また、操作スイッチの機能を変更後、リモコン装置に装着可能である操作スイッチの機能配置の示された表示シートを、変更後の操作スイッチ機能が示された表示シートに変更可能としたものであり、操作スイッチの機能を変更後に使用者に変更後の機能を明示でき、操作スイッチの機能配置の混乱を防ぐことができる作用を有する。
【００７１】
また、他の手段は、操作スイッチの使用頻度により、制御装置が使用頻度を認識し、使用頻度に応じ操作スイッチが持つ機能の変更を使用者に提案することができる報知手段を備えたものであり、使用者が使用頻度の高い操作スイッチを好みの位置に変更でき、使用者にとって操作性が良いという作用を有する。
【００７２】
また、リモコン装置に温度検知手段を備え、前記温度検知手段により得た温度の情報から季節を決定し、季節毎に使用頻度に応じた操作スイッチが持つ機能の変更を使用者に提案することができる報知手段を備えたものであり、使用者が使用頻度の高い操作スイッチを好みの位置に変更でき、使用者にとって操作性が良いという作用を有する。
【００７３】
また、リモコン装置に季節を認識する設定スイッチ備え、季節毎に使用頻度に応じた操作スイッチが持つ機能の変更を使用者に提案することができる報知手段を備えたものであり、使用者が使用頻度の高い操作スイッチを好みの位置に変更でき、使用者にとって操作性が良いという作用を有する。
【００７４】
また、使用者が希望する運転の組み合わせを操作スイッチの機能を付与し、前記操作スイッチを入力することで連続して運転動作をする設定ができ、頻度の高い運転の組み合わせを、運転の機能変更毎に操作スイッチの変更を行うことなく使用できる作用を有する。
【００７５】
以下、本発明の実施の形態について図面を参照しながら説明する。
【００７６】
（実施の形態１）
図１に示すように、使用者が入力操作する操作スイッチ１と、前記操作スイッチ１からの出力に応じて処理を行うリモコン制御手段としてのリモコンマイコン２と、前記リモコンマイコン２からの出力を表示する表示手段としてのＬＣＤ３を備えたリモコン装置４と、前記リモコン装置４から操作スイッチ１の機能変更の設定信号を受けて処理を行う本体制御手段としての本体マイコン５と、前記本体制御手段５からの設定内容を記憶できる記憶手段としてのＥＥＰＲＯＭ６を備えた空気調和機本体７と、前記リモコン装置４と前記空気調和機本体７間の通信を双方向に可能とする通信手段としての有線のリモコンケーブル８を構成する。
【００７７】
上記構成において、通常操作時においては、使用者は個々の機能を持つ操作スイッチ１選択し入力を行い、前記操作スイッチ１の持つ機能の情報をリモコンマイコン２が認識し、前記リモコンマイコン２によって、操作スイッチ１のもつ機能の配置列の割り当てがされる。
【００７８】
配置列に割り当てられた情報は、前記リモコンマイコン２からリモコンケーブル８により本体マイコン５に送信され、前記本体マイコン５によって、再度機能の割り当てが行われ、割り当てられた機能で空気調和機本体７に運転指示を送る。
【００７９】
例えば、図２に示すように、使用者によってＡの配置にある操作スイッチ１を選択された場合、リモコンマイコン２へＡの配置の操作スイッチが入力されたことが認識され、操作スイッチ１の配置列を割り当てがされる。
【００８０】
ここでのリモコンマイコン２内部での配置列とは、操作スイッチ１の配置をテーブル化したものであり、操作スイッチ１と配置列のテーブルは１対１に存在する。
【００８１】
次に、リモコンマイコン２からリモコンケーブル８を用いて本体マイコン５に配置列データＡという情報が送られ、前記本体マイコン５によって、配置列データＡを機能に割り当る。
【００８２】
ここでの本体マイコン５内部での配置列は、リモコンマイコン２から送られてきた配置列データを、予めＥＥＰＲＯＭ６に記憶されていた各配置列データに対する機能に割り当てるものであり、配置列データＡがＥＥＰＲＯＭにより『暖房運転』として記憶してある場合は暖房運転を、『換気運転』として記憶されている場合は換気運転を選択し、空気調和機７に運転指示を行うものである。
【００８３】
次に、操作スイッチ１の機能を変更する場合においては、使用者は個々の機能を持つ操作スイッチ１から変更内容を入力し、変更内容をリモコンマイコン２が認識し、前記リモコンマイコン２によって、変更内容がリモコンケーブル８を用いて本体マイコン５に送信され、送信された変更データに基づき、本体マイコン５はＥＥＰＲＯＭ６が記憶していた各配置列に対する機能の割り当てたデータの変更を行う。
【００８４】
例えば、図２に示すように、リモコン装置４のＡの位置とＣの位置の操作スイッチ１の機能を変更する場合、変更内容を前記操作スイッチ１により入力後、変更データはリモコンマイコン２からリモコンケーブル８を用いて本体マイコン５に送信される。
【００８５】
本体マイコン５によって、予めＥＥＰＲＯＭ６に記憶されていた配置Ａには『暖房運転』、配置Ｃには『涼風運転』というデータを、変更後配置Ａには『涼風運転』、配置Ｃには『暖房運転』と書き換わり、ＥＥＰＲＯＭ６に記憶されることで変更が行われる。
【００８６】
また、記憶された前記操作スイッチ１の持つ機能の情報は、双方向通信可能なリモコンケーブル８により、再度リモコンマイコン２に送信され、ＬＣＤ３に変更内容の表示することにより、操作スイッチ１の持つ機能を変更後、使用者がリモコン装置４のみで設定から変更完了の確認まですることができる。
【００８７】
なお、本実施の形態では、リモコン制御手段としてリモコンマイコン２、表示手段としてＬＣＤ３、本体制御手段として本体マイコン５、記憶手段としてＥＥＰＲＯＭ６、通信手段としてリモコンケーブル８を用いたが、同様の作用効果をもたらすものであればこれに限るものではない。
【００８８】
（実施の形態２）
次に、本発明の実施の形態２について図面を参照しながら説明する。なお、実施の形態１と同一のものは同一番号を付し、その詳細な説明を省略する。
【００８９】
図３、図４に示すように、操作スイッチ１の配置で、使用者にとって操作性の良い配置の操作性順位を使用者が予め操作スイッチ１から入力し、入力データはリモコンマイコン２に認識され、リモコンケーブル８を用いて時計機能を有する本体マイコン５に送信され、本体マイコン５で認識された操作性順位のデータは、操作スイッチ１の配置列に割り当てられ、ＥＥＰＲＯＭ６に記憶し、操作性順位のデータ設定が完了する。
【００９０】
次に、通常操作において、使用者により操作スイッチ１から機能を入力し、入力された機能のデータがリモコンマイコン２が認識し、リモコンケーブル８を用いて本体マイコン５が認識して、前記本体マイコン５から空気調和機へ運転の指示がされる。
【００９１】
この際に、本体マイコン５は、機能を認識する度にその回数をカウントし積算計算して、ＥＥＰＲＯＭ６に記憶する。
【００９２】
そして、本体マイコン５に有する時計機能により日付が変更されたとき、本体マイコン５はＥＥＰＲＯＭ６に記憶された積算回数と操作性順位の比較を行い、個々の操作スイッチ１の機能の使用頻度と操作性順位が異なる場合、リモコンケーブル８からリモコンマイコン２に操作性順位に従った操作スイッチ１の機能に変更を提案する表示する信号を送信し、リモコンマイコン２はＬＣＤ３に変更の旨を表示させる。
【００９３】
例えば、図４に示すように、使用者により操作スイッチ１の操作性順位をＣ，Ｂ，Ａ，Ｅ，Ｄの順番に設定を行ったとすると、本体マイコン５は操作スイッチの配置列に操作性順位を割り当て、ＥＥＰＲＯＭ６に記憶する。
【００９４】
通常操作時に使用者が操作スイッチ１の入力を行った日付の変更時の積算回数の結果の頻度がＢ，Ａ，Ｃ，Ｅ，Ｄとしたとき、本体マイコン５は使用頻度の順位を決定し、その順位を操作性スイッチ１の配置列に割り当て、予め設定した操作性順位との比較を行う。
【００９５】
比較の結果、順位が同等であれば何も行わず、順位が異なれば本体マイコン５からリモコンケーブル８を用いてリモコンマイコン２に変更を提案する表示を行うように指示し、リモコンマイコン２はＬＣＤ３に変更を提案する表示をする。
【００９６】
変更の提案表示がＬＣＤ３に表示された後、使用者は変更するか否かを判断し、『変更を行う』『変更を行わない』の機能を割り当てられた操作スイッチ１を選択することで、変更を行わない場合は、現状の操作スイッチ１の持つ機能どおりに使用を継続ができ、変更を行う場合は、使用者が予め設定した操作性順位に操作スイッチ１を選択することで変更され、使用者にとって使い勝手の良い操作スイッチ１の配置に変更できる。
【００９７】
（実施の形態３）
次に、本発明の実施の形態３について図面を参照しながら説明する。なお、実施の形態１と同一のものは同一番号を付し、その詳細な説明を省略する。
【００９８】
図５に示すように、機能の変更の対象ではない操作スイッチ１と設定スイッチ１０を備えたリモコン装置４を構成する。
【００９９】
上記構成において、操作スイッチ１の持つ機能を変更するために、操作スイッチ１を２秒以上連続で長押しすることで機能の変更設定可能な状態にし、変更終了後に設定可能な状態から脱することで、通常動作時に誤って操作スイッチ１の機能を変更することを防ぐことができる。
【０１００】
機能の変更設定可能な状態では、操作スイッチ１の持つ機能は通常の操作時に割りあてられた機能とは異なる機能を持ち、設定するには都合の良い機能を持つようになる。
【０１０１】
例えば、通常の操作時において、暖房運転、換気運転の機能が割り当てられた操作スイッチ１が、操作スイッチ１の連続長押して設定可能な状態になることで、暖房運転の機能を持つ操作スイッチ１を入力すると、暖房運転を別の操作スイッチ１に変更できる状態になり、その後換気運転を押すと、暖房運転と換気運転の操作スイッチ１の持つ機能が入れ替わる。
【０１０２】
そして、設定可能な状態から脱することで、通常の操作時の操作スイッチ１の持つ機能に戻り、変更前に暖房運転の機能が割り当てられた操作スイッチ１を前記のような変更後に入力すると、変更後の機能の換気運転を本体マイコン５に送信し、空気調和機本体７に換気運転の指示を行う。
【０１０３】
尚、本実施の形態では、操作スイッチ１を長押しする時間に２秒を用いたが、通常操作スイッチ１が入力を認識するために必要な時間以上であればこれに限るものではない。
【０１０４】
また、上記構成において、複数の操作スイッチ１の持つ機能を変更するために、複数の操作スイッチ１を同時押しすることで機能の変更設定可能な状態にし、変更終了後に設定可能な状態から脱することで、通常動作時に誤って操作スイッチ１の機能を変更することを防ぐことができる。
【０１０５】
さらに、上記構成において、複数の操作スイッチ１の持つ機能を変更するために、前記設定スイッチ１０を入力することで機能の変更設定可能な状態にし、変更終了後に設定可能な状態から脱することで、通常動作時に誤って操作スイッチ１の機能を変更することを防ぐことができる。
【０１０６】
（実施の形態４）
次に、本発明の実施の形態４について図面を参照しながら説明する。なお、実施の形態１、３と同一のものは同一番号を付し、その詳細な説明を省略する。
【０１０７】
図６に示すように、スピーカー１１を備えたリモコン装置４を構成する。
【０１０８】
上記構成において、個々の操作スイッチ１の持つ機能を使用者が選択し、リモコンマイコン２に選択された機能が認識され、リモコンケーブル８により本体マイコン５に情報が送信されてＥＥＰＲＯＭ６に記憶される。
【０１０９】
記憶された操作スイッチ１の持つ機能の情報は、リモコンケーブル８により、再度リモコンマイコン２に送信され、ＬＣＤ３に表示することにより、操作スイッチ１の持つ機能を変更後、瞬時停電や送信ミスによる変更の失敗が発生した場合、上記情報を使用者に知らせることができる。
【０１１０】
また、上記構成において、記憶された前記操作スイッチ１の持つ機能の情報は、リモコンケーブル８により、再度リモコンマイコン２に送信され、スピーカー１１から使用者に変更完了を知らせることにより、操作スイッチ１の持つ機能を変更後、瞬時停電や送信ミスによる変更の失敗が発生した場合、上記情報を使用者に知らせることができる。
【０１１１】
（実施の形態５）
次に、本発明の実施の形態５について図面を参照しながら説明する。なお、実施の形態１、３と同一のものは同一番号を付し、その詳細な説明を省略する。
【０１１２】
図７および図８に示すように、操作スイッチ１の近傍に数種類の色の発光手段としてのＬＥＤ１２を備え、ＬＥＤ１２の光を透過可能な操作スイッチ１を押すことで入力される機械スイッチ１３と、ＬＥＤ１２および機械スイッチ１３を搭載した電子基板１４を備えたリモコン装置４を構成する。
【０１１３】
上記構成において、ＬＥＤ１２の光を透過可能な操作スイッチ１により入力される機械スイッチ１３の近傍にあるＬＥＤ１２が点灯することで、前記ＬＥＤ１２の光を透過す可能な操作スイッチの表面がＬＥＤ１２の発光色で表示される。
【０１１４】
操作スイッチ１の配置を変更後、操作スイッチの配置をＬＥＤ１２の発光色が変更後の機能にあたる発光色に変更することにより、機能配置を使用者に知らせることができ、操作スイッチ１の配置の混乱を防ぐことができる。
【０１１５】
ＬＥＤ１２の色は複数種の色を使用し、色ごとに機能を振り分けて、使用者が色により操作スイッチ１の機能を判断する。
【０１１６】
また、ＬＥＤ１２の色の数を機能の数が上回る場合、複数のＬＥＤ１２を同時に点灯することにより作り出される合成色を使用することもできる。
【０１１７】
例えば、暖房運転を意味する発光色を赤、涼風運転を意味する発光色を青色としたとき、通常の操作時において、暖房運転を行うことで、暖房運転の機能を割り当てられた操作スイッチ１の近傍にあるＬＥＤ１２が赤色に光り、暖房運転の機能を割り当てられた操作スイッチ１は赤色に表示される。
【０１１８】
また、機能がＬＥＤ１２の色の数を上回るとき、赤色と青色を同時に点灯することで合成色の紫色で操作スイッチ１が発光し、紫色に対しても機能を割り当てる。
【０１１９】
操作スイッチ１の機能を変更した後、暖房運転の機能を割り当てられていた操作スイッチ１が涼風運転の機能に変更した場合、ＬＥＤ１２の発光色は青色になり、使用者に発光色によって操作スイッチ１の機能を知らせることができる。
【０１２０】
なお、本実施の形態では、発光手段としてＬＥＤ１２を用いたが、同様の作用効果をもたらすものであればこれに限るものではない。
【０１２１】
（実施の形態６）
次に、本発明の実施の形態６について図面を参照しながら説明する。なお、実施の形態１、３と同一のものは同一番号を付し、その詳細な説明を省略する。
【０１２２】
図９に示すように、予め用意されたリモコン装置４ａに装着可能である操作スイッチ１の機能配置の示された表示シート１５と、前記表示シート１５を装着する装着手段としてのシート止め具１６を備えたリモコン装置４ａを構成する。
【０１２３】
操作スイッチ１の機能を表示した表示シート１５ａを装着して使用するリモコン装置４ａにおいて、の操作スイッチ１の持つ機能を変更することで、表示されていた機能と操作スイッチ１の持つ機能が異なってしまうため、変更前に装着していた表示シート１５ａをリモコン装置４ａから取り外し、変更後の操作スイッチ１の機能に従って表示した表示シート１５ｂに置き換え、表示シート１５ｂを止め具１６によってリモコン装置４ａに固定することによって、機能配置を使用者に知らせることができ、操作スイッチ１の機能の混乱を防ぐことができる。
【０１２４】
なお、本実施の形態では、装着手段として止め具１６を用いたが、同様の作用効果をもたらすものであればこれに限るものではない。
【０１２５】
（実施の形態７）
次に、本発明の実施の形態７について図面を参照しながら説明する。なお、実施の形態１、２と同一のものは同一番号を付し、その詳細な説明を省略する。
【０１２６】
図３、図４に示すように、操作スイッチ１の配置で、使用者にとって操作性の良い配置の操作性順位を使用者が予め操作スイッチ１から入力し、入力データはリモコンマイコン２に認識され、リモコンケーブル８を用いて本体マイコン５に送信され、本体マイコンで認識された操作性順位のデータは、操作スイッチ１の配置列に割り当てられ、ＥＥＰＲＯＭ６に記憶し、操作性順位のデータ設定が完了する。
【０１２７】
次に、通常操作において、使用者により操作スイッチ１から機能を入力し、入力された機能のデータがリモコンマイコン２が認識し、リモコンケーブル８を用いて本体マイコン５が認識して、前記本体マイコン５から空気調和機へ運転の指示がされる。
【０１２８】
この際に、本体マイコン５は、機能を認識する度にその回数をカウントし積算計算して、ＥＥＰＲＯＭ６に記憶する。
【０１２９】
そして、積算計算を繰替した結果、規定の回数を越えた時点で、本体マイコン５はＥＥＰＲＯＭ６に記憶された積算回数と操作性順位の比較を行い、個々の操作スイッチ１の機能の使用頻度と操作性順位が異なる場合、リモコンケーブル８からリモコンマイコン２に操作性順位に従った操作スイッチ１の機能に変更を提案する表示する信号を送信し、リモコンマイコン２はＬＣＤ３に変更の旨を表示させる。
【０１３０】
例えば、図４に示すように、使用者により操作スイッチ１の操作性順位をＣ，Ｂ，Ａ，Ｅ，Ｄの順番に設定を行ったとすると、本体マイコン５は操作スイッチの配置列に操作性順位を割り当て、ＥＥＰＲＯＭ６に記憶する。
【０１３１】
通常操作時に使用者が操作スイッチ１の入力を行った積算回数が規定の回数１０００回を超えたときの結果の頻度がＢ，Ａ，Ｃ，Ｅ，Ｄとしたとき、本体マイコン５は使用頻度の順位を決定し、その順位を操作性スイッチ１の配置列に割り当て、予め設定した操作性順位との比較を行う。
【０１３２】
比較の結果、順位が同等であれば何も行わず、順位が異なれば本体マイコン５からリモコンケーブル８を用いてリモコンマイコン２に変更を提案する表示を行うように指示し、リモコンマイコン２はＬＣＤ３に変更を提案する表示をする。
【０１３３】
変更の提案表示がＬＣＤ３に表示された後、使用者は変更するか否かを判断し、『変更を行う』『変更を行わない』の機能を割り当てられた操作スイッチ１を選択することで、変更を行わない場合は、現状の操作スイッチ１の持つ機能どおりに使用を継続ができ、変更を行う場合は、使用者が予め設定した操作性順位に操作スイッチ１を選択することで変更され、使用者にとって使用勝手の良い操作スイッチ１の配置に変更できる。
【０１３４】
なお、本実施の形態では、操作スイッチ１の機能の変更を提案するまでの積算回数を１０００回としたが、同様の作用効果をもたらすものであればこれに限るものではない。
【０１３５】
（実施の形態８）
次に、本発明の実施の形態８について図面を参照しながら説明する。なお、実施の形態１と同一のものは同一番号を付し、その詳細な説明を省略する。
【０１３６】
図１０に示すように、サーミスタを用いた温度検知手段を備えたリモコン装置４を構成する。
【０１３７】
図３、図４に示すように、操作スイッチ１の配置で、使用者にとって操作性の良い配置の操作性順位を使用者が予め操作スイッチ１から入力し、入力データはリモコンマイコン２に認識され、リモコンケーブル８を用いて本体マイコン５に送信され、本体マイコンで認識された操作性順位のデータは、操作スイッチ１の配置列に割り当てられ、ＥＥＰＲＯＭ６に記憶し、操作性順位のデータ設定が完了する。
【０１３８】
上記構成において、温度検知手段１７により検知した温度データはリモコンマイコン２からリモコンケーブル８によって時計機能を備えた本体マイコン５に送信される。
【０１３９】
本体マイコン５の時計機能により、２４時間温度データを検知し続けることで、２４時間の温度サイクルを取得して本体マイコン５の内部で季節を判断し、季節に応じて決定した機能の使用頻度と予め使用者により設定した配置の操作性順位と本体マイコン５が比較を行う。
【０１４０】
比較の結果、順位が同等であれば何も行わず、順位が異なれば本体マイコン５からリモコンケーブル８を用いてリモコンマイコン２に変更を提案する表示を行うように指示し、リモコンマイコン２はＬＣＤ３に変更を提案する表示をする。
【０１４１】
変更の提案表示がＬＣＤ３に表示された後、使用者は変更するか否かを判断し、『変更を行う』『変更を行わない』の機能を割り当てられた操作スイッチ１を選択することで、変更を行わない場合は、現状の操作スイッチ１の持つ機能どおりに使用を継続ができ、変更を行う場合は、使用者が予め設定した操作性順位に操作スイッチ１を選択することで変更され、使用者にとって使用勝手の良い操作スイッチ１の配置に変更できる。
【０１４２】
例えば浴室暖房乾燥器の場合、温度検知手段１７が２４時間検知し続けた温度サイクルにより、最高気温が１０度、最低気温が０度というデータから冬季のデーターであると本体マイコンが判断した場合、冬季に使用頻度が高くなると想定できる暖房運転、乾燥運転の使用頻度を高く決定し、冬季にはあまり使用することのないと想定できる涼風運転の使用頻度を低く決定する。
【０１４３】
なお、本実施の形態では、温度検知手段１７としてサーミスタを用いたが、同様の作用効果をもたらすものであればこれに限るものではない。
【０１４４】
（実施の形態９）
次に、本発明の実施の形態９について図面を参照しながら説明する。なお、実施の形態１、３と同一のものは同一番号を付し、その詳細な説明を省略する。
【０１４５】
図１１に示すように、季節設定スイッチ１８を備えたリモコン装置４を構成する。
【０１４６】
図３、図４に示すように、操作スイッチ１の配置で、使用者にとって操作性の良い配置の操作性順位を使用者が予め操作スイッチ１から入力し、入力データはリモコンマイコン２に認識され、リモコンケーブル８を用いて本体マイコン５に送信され、本体マイコンで認識された操作性順位のデータは、操作スイッチ１の配置列に割り当てられ、ＥＥＰＲＯＭ６に記憶し、操作性順位のデータ設定が完了する。
【０１４７】
季節設定スイッチ１８により設定した季節の信号はリモコンマイコン２からリモコンケーブル８によって本体マイコン５に送信され、季節に応じて決定した機能の使用頻度と予め使用者により設定した配置の操作性順位を本体マイコン５が比較を行う。
【０１４８】
比較の結果、順位が同等であれば何も行わず、順位が異なれば本体マイコン５からリモコンケーブル８を用いてリモコンマイコン２に変更を提案する表示を行うように指示し、リモコンマイコン２はＬＣＤ３に変更を提案する表示をする。
【０１４９】
変更の提案表示がＬＣＤ３に表示された後、使用者は変更するか否かを判断し、『変更を行う』『変更を行わない』の機能を割り当てられた操作スイッチ１を選択することで、変更を行わない場合は、現状の操作スイッチ１の持つ機能どおりに使用を継続ができ、変更を行う場合は、使用者が予め設定した操作性順位に操作スイッチ１を選択することで変更され、使用者にとって使用勝手の良い操作スイッチ１の配置に変更できる。
【０１５０】
（実施の形態１０）
次に、本発明の実施の形態１０について図面を参照しながら説明する。なお、実施の形態１、３と同一のものは同一番号を付し、その詳細な説明を省略する。
【０１５１】
使用者が高い頻度で連続して使用する運転の組み合わせを使用者が予め操作スイッチ１から入力し、入力データはリモコンマイコン２に認識され、リモコンケーブル８を用いて本体マイコン５に送信され、本体マイコン５で認識された操作性順位のデータは、操作スイッチ１の配置列に割り当てられ、ＥＥＰＲＯＭ６に記憶し、操作性順位のデータ設定が完了する。
【０１５２】
ＥＥＰＲＯＭ６により記憶された運転の組み合わせは、操作スイッチ１の機能を組み合わせた運転を入力する機能を有するように変更することで使用可能となる。
【０１５３】
例えば、浴室暖房乾燥器の場合、暖房運転を６０分運転後に換気運転を１２０分運転することを頻繁に行いたいとした時に、暖房運転６０分終了後に換気運転１２０分運転するモードを操作スイッチ１から使用者が設定を行い、ＥＥＰＲＯＭ６に記憶することで設定された状態となる。
【０１５４】
設定された、暖房運転を６０分運転後に換気運転を１２０分運転の機能は、操作スイッチ１の機能変更の設定によって操作スイッチ１の機能として割り当てられ、割り当てられた操作スイッチ１を入力することで、暖房運転を６０分運転後に換気運転を１２０分運転の連続運転を、暖房運転から換気運転に動作が変更する時に操作スイッチ１の操作をすることなく行うことができる。
【産業上の利用可能性】
【０１５５】
本体と双方向通信可能であるリモコン装置で操作スイッチの機能を変更することにより、本体機能の増加に伴うリモコンの煩雑化を防ぐことができる。
【図面の簡単な説明】
【０１５６】
【図１】本発明の実施の形態１の空気調和システムの構成を示すブロック図
【図２】同実施の形態１のデータ処理の構成を示すブロック図
【図３】同実施の形態２のデータ処理の構成を示すブロック図
【図４】同実施の形態２のデータ処理の構成を示すブロック図
【図５】同実施の形態３のリモコン装置の構成を示す概略図
【図６】同実施の形態４のリモコン装置の構成を示す概略図
【図７】同実施の形態５のリモコン装置の構成を示す概略図
【図８】同実施の形態５の操作スイッチの構成を示す概略図
【図９】同実施の形態６のリモコン装置の構成を示す概略図
【図１０】同実施の形態８のリモコン装置の構成を示す概略図
【図１１】同実施の形態９のリモコン装置の構成を示す概略図
【図１２】従来のリモコン装置の構成を示すブロック図
【図１３】従来のテレビリモコン装置の構成を示すブロック図
【符号の説明】
【０１５７】
１      操作スイッチ
２      リモコンマイコン
３      ＬＣＤ
４      リモコン装置
４ａ    リモコン装置
５      本体マイコン
６      ＥＥＰＲＯＭ
７      空気調和機本体
８      リモコンケーブル
９      空気調和システム
１０    設定スイッチ
１１    スピーカー
１２    ＬＥＤ
１３    機械スイッチ
１４    電子基板
１５    表示シート
１５ａ  表示シート
１５ｂ  表示シート
１６    止め具
１７    温度検知手段
１８    季節設定スイッチ
【図１】
2006343014.tif 000003
【図２】
2006343014.tif 000004
【図３】
2006343014.tif 000005
【図４】
2006343014.tif 000006
【図５】
2006343014.tif 000007
【図６】
2006343014.tif 000008
【図７】
2006343014.tif 000009
【図８】
2006343014.tif 000010
【図９】
2006343014.tif 000011
【図１０】
2006343014.tif 000012
【図１１】
2006343014.tif 000013
【図１２】
2006343014.tif 000014
【図１３】
2006343014.tif 000015